(57)【要約】      （修正有）【課題】トレーナーがクラウドを通じて学習者に使用する対応設備、対応する条件の設定を直接指示し、学習者ユーザーは指示に従って操作を行うだけで、トレーナー指導効率および学習者の学習便利性を高めるトレーニングマシンのコントローラを提供する。【解決手段】ユーザー身分を確認するのに用いるユーザー認証モジュールと、ユーザー身分の確認後、インターネットでクラウドホスティング２に接続し、クラウドホスティングに保存している少なくとも一つの対応するユーザーのトレーニングマシン制御パラメータをダウンロードするのに用いる無線受信装置１４と、トレーニングマシン制御パラメータをデータ形式に転換するのに用いる演算処理装置１２と、データ形式に転換されたトレーニングマシン制御パラメータのバーコードを表示するのに用いるディスプレイモジュール１１と、バーコードを読み取るのに用いる情報検索装置１３とを備える。【選択図】図１
0003228922.tif 000002
【実用新案登録請求の範囲】
【請求項１】
ディスプレイモジュール、演算処理装置、情報検索装置、ユーザー認証モジュールおよび無線受信装置を含むトレーニングマシンのコントローラにおいて、そのうち、
上記ディスプレイモジュール、上記情報検索装置、上記無線受信装置、上記ユーザー認証モジュールはすべて上記演算処理装置と電気連接し、
上記ユーザー認証モジュールでユーザー身分を判断し、ユーザー身分確認後、上記無線受信装置からインターネットでクラウドホスティングに連接し、上記クラウドホスティングに保存している少なくとも一つの対応するユーザーのトレーニングマシン制御パラメータをダウンロードするのに用い、
上記演算処理装置は、上記トレーニングマシン制御パラメータをデータ形式に転換してそのディスプレイモジュールに表示し、および、
上記情報検索装置はバーコードを読み取るのに用いることを特徴とするトレーニングマシンのコントローラ。
【考案の詳細な説明】
【技術分野】
【０００１】
本考案は、トレーニングマシンの制御方法に関し、トレーニングマシンの技術領域に属し、特にトレーナーがクラウドでトレーニングマシン使用時に必要なパラメータを保存し、そしてユーザーがトレーニングマシンのコントローラへ伝送して制御する方法と装置に係わる。
【背景技術】
【０００２】
運動は現代人の健康のために非常に重要であることは誰もが知ることである。しかしながら、多くの現代人は往々にして一日の生活の変化が大きく、また外気汚染等の原因よって、決まったとおりに有効な運動習慣を打ち立てることは困難である。望ましい運動習慣を継続して実践するためにも、天気や時間が原因にならない自宅もしくはスポーツジムでトレーニングマシンを多くの人は使っている。
【０００３】
トレーニングマシンの使用は、ユーザーの努力だけでなく、プロのトレーナーの指導、アドバイスが必要であり、トレーニング強度およびモードを段階的に上げることに依って最高のトレーニング効果を達成できる。しかし、ジムトレーナーの費用は自宅訪問のパーソナルトレーナー、もしくはスポーツジムのトレーナー指導に関わらず、それにかかる費用は軽視できるものではなく、且つ時間も事前予約が必要で、忙しい現代人にとって制約が非常に大きく、いつでもトレーニングできるものではない。現在、ビデオを使って教えるトレーニングコースがあるが、トレーニングマシンに対してパラメータおよびモードを使用するため、各ユーザーの状態に対して、個人個人に適するトレーニング計画を作ることはできず、ユーザー（学習者）が自分で操作しなければならないため、ユーザーの設定の正確さを保証できない。
【考案の概要】
【考案が解決しようとする課題】
【０００４】
ユーザーが遠隔で個々人に適するフィットネストレーニングスケジュールを取得でき、ユーザーは専門的なフィットネススケジュールと対応する器材の設定パラメータを取得することで、時間を自由に活用でき、公知の問題を克服するトレーニングマシン制御方法とトレーニングマシンのコントローラを提供することを本考案の課題とする。
【０００５】
公知技術から提示した目的を達成するため、ユーザーにトレーナーが個々人用に作成したフィットネススケジュールを遠隔で取得させる。本考案の考案者はトレーニングマシンのコントローラおよびその方法を提供する。
【課題を解決するための手段】
【０００６】
本考案のトレーニングマシンのコントローラは、クラウドホスティングに連結し該クラウドホスティングの中のデータを受信する。それはディスプレイモジュール、演算処理装置、情報検索装置および無線受信装置を有する。
【０００７】
本考案の方法実施例は、トレーニングマシン制御方法であり、それはトレーニングマシンのコントローラからインターネットで信号をクラウドホスティングへ接続する。該トレーニングマシンのコントローラは該クラウドホスティング内に設定されたトレーニングマシンの制御パラメータを取得し、該トレーニングマシンのコントローラを通じてトレーニングマシンへ伝送して対応する設定操作を行う。その方法ステップはトレーニングマシン制御パラメータの設定ステップ、トレーニングマシン制御パラメータの取得ステップ、制御パラメータの表示ステップ、バーコード読取りステップとガイドビデオ再生ステップを含む。
【０００８】
そのうち、トレーニングマシン制御パラメータの設定ステップは、トレーナーユーザーからインターネットを通して制御パラメータをクラウドホスティングへ伝送する。
トレーニングマシン制御パラメータの取得ステップは操作ユーザーがトレーニングマシンのコントローラでインターネット通して信号を該クラウドホスティングに接続し、そして対応する制御パラメータをダウンロードする。
制御パラメータの表示ステップは該トレーニングマシンのコントローラによって、取得した制御パラメータをバーコードに転換し、該トレーニングマシンのコントローラのディスプレイユニットに表示する。
バーコード読取りステップは該トレーニングマシンに結合または信号連接した情報伝送収集装置が読み取りし、読取り後に、制御パラメータを接続したディスプレイユニットに表示するか、または該トレーニングマシンへ信号伝送し、該トレーニングマシンは該制御パラメータに基づき設定を行う。
ガイドビデオ再生ステップは、該ディスプレイユニットにガイドビデオを表示し、該ガイドビデオは該クラウドホスティングからダウンロードするか、または該トレーニングマシンに予め保存しておく。更に該ガイドビデオは準備動作、運動動作と整理動作の順で構成され、動作と動作の間のビデオ速度は異なる。
【０００９】
更に情報収集ステップを加えることができる。該トレーニングマシンに結合された情報伝送収集装置は該トレーニングマシンから該トレーニングマシンの作業データを取得もしくは受信し、次にバーコードに転換し該トレーニングマシンに結合された情報伝送収集装置は接続したディスプレイユニットに表示する。
情報フィードバックステップを追加する。それは該トレーニングマシンのコントローラに接続されている情報検索装置がデータを読取り、そして該クラウドホスティングへフィードバックする。
【００１０】
更にユーザー認証ステップは、指紋認証または画像認証または音声認証またはその他生物特徴認証的方式でユーザー身分を判断する。
【００１１】
指定のユーザー（例としてトレーナー）から対応するパラメータを該クラウドホスティングへ送る。ユーザーは該トレーニングマシンのコントローラを通して身分認証を通過した後、対応するパラメータデータをダウンロードする。次に前述の演算処理装置で該トレーニングマシンの制御パラメータを、例として二次元コード、またはＱＲ  ｃｏｄｅ、または画像認証で読み取りできるその他フォーマットのようなデータ形式に転換する。そしてトレーニングマシンに接続した情報伝送収集装置が読取り確認する。次に信号連接しているトレーニングマシンへ設定パラメータを送り、設定もしくは運動を行う。該トレーニングマシンが操作完了すると、データを該トレーニングマシンのコントローラへフィードバックし、更にそれをクラウドホスティングへ送る。トレーナーユーザーと学習者ユーザーのコミュニケーションプラットフォームを構築することに依って、学習者ユーザーは指示に従って決められたトレーニングマシンに向かうだけでよく、設定パラメータが読み取られた後、操作を行い、学習者がトレーニングマシンを操作する負担を大幅に減少させ、使用効率を向上させる。更に情報伝送収集装置によって、トレーニングマシンのコントローラの信号が伝送され、ユーザーが操作したトレーニングマシンが目標器材であるかを確認できる。仮に、情報伝送収集装置がデータを読み取った後に対応器材でないと確認すると、ユーザーに通知を送り、ユーザーが間違った器材を使わないようにさせる。該通知はディスプレイユニットの表示、またはその他音声装置に接続して音で表示する。更にガイドビデオの再生に依って、ユーザーに運動の過程で、ビデオまたは音楽によって速度の調節を行う。
【００１２】
異なるトレーニング部位に合わせるため、該トレーニングマシンのどんな運動器具でも制限せず、トレッドミル、エリプティカルトレーナー、エアロバイク（登録商標）、スピンバイク等トレーニングマシンでもよい。
【００１３】
上述のトレーニングマシンのコントローラおよび対応するトレーニングマシンによって、トレーナーは毎回トレーニング前に、該クラウドホスティングを通じ、パラメータ設定をユーザー個人の状態およびトレーニングニーズを考慮して行う。更に当日のトレーニング完了後に、ユーザーのトレーニング状況を受信して理解し、フィードバックされた情報に基づき、評価し、次回のトレーニングスケジュールを作成する。
【図面の簡単な説明】
【００１４】
【図１】本考案実施例でトレーニングマシンのコントローラの指示図である。
【図２】本考案実施例の制御方法のフローチャートである。
【図３】本考案実施例で、トレーニングマシンのコントローラの実施例使用方法のフローチャートである。
【図４】本考案実施例で、トレーニングマシンのコントローラをトレーニングマシンに連結した指示図である。
【図５】本考案本実施例で、トレーニングマシンのコントローラ信号を情報伝送収集装置に連接したフローチャートである。
【考案を実施するための形態】
【実施例】
【００１５】
図式とともに、本考案が提供したトレーニングマシンのコントローラおよびその制御方法の実施について以下に説明する。本実施例をわかりやすくするため、以下に結合方法の流れと設備を説明する。
【００１６】
図１と図２に示すとおり、本考案の方法はトレーニングマシン制御方法であり、それはトレーニングマシンのコントローラ１からインターネットで信号をクラウドホスティング２へ接続し、該トレーニングマシンのコントローラ１が該クラウドホスティング２の中から設定したトレーニングマシン制御パラメータを取得し、次にトレーニングマシン３に対して設定操作を行う。その方法ステップは以下を含む。
【００１７】
トレーニングマシン制御パラメータの設定ステップＳ１において、トレーナーユーザー（即ち、図３に示すトレーナー１からトレーナーｎまで）からインターネットを通して制御パラメータをクラウドホスティング２へ伝送する。そのうち、各トレーナーユーザーは各自のモバイル端末またはパソコン等いずれかの設定値を入力できる設備で、設定値を該クラウドホスティング２へ、またはモバイル端末にインストールした操作ソフトへ、または指定の入力ウェブページへ直接信号連接するか、またはインターネットで伝送する。
【００１８】
トレーニングマシン制御パラメータの取得ステップＳ２において、操作ユーザー（即ち、図３に示す学習者１から学習者ｎまで）は、トレーニングマシンのコントローラ１でインターネットを通して信号を該クラウドホスティング２に接続し、並びに対応する制御パラメータをダウンロードする。該制御パラメータはトレーニングマシンの減衰または回転速度または重量等対応条件をコントロールできるもので、また制御パラメータは時間に合わせて変更する方程式（即ち、時間に合わせて異なる減衰値または回転速度または重量が作られる）でもよく、状況のシュミレーションを達成する。
【００１９】
制御パラメータの表示ステップＳ３において、該トレーニングマシンのコントローラ１は取得した制御パラメータをバーコードに転換し、それを該トレーニングマシンのコントローラのディスプレイモジュール１１に表示する。該バーコードは二次元コード、またはＱＲ  ＣＯＤＥ、または画像認証によってデータ伝送を完了できる任意の形式を含む。
【００２０】
バーコード読取りステップＳ４において、該トレーニングマシン３に結合または信号連接した情報伝送収集装置３１が読取りすると、その信号連接されたディスプレイユニット３１４に読み取った制御パラメータ（文字）または動画方式の内容を表示する。また読取り後に取得した制御パラメータを信号連接した該トレーニングマシン３へ伝送することで、該トレーニングマシン３が自動で制御パラメータに基づき設定する。そのうち、読み取った制御パラメータを表示する時、これらの操作案内説明または操作ビデオ動画を再生してもよく、それらの内容は該情報伝送収集装置３１に設置されたストレージユニット内に予め保存してあり、ユーザーが該制御パラメータに基づき設定操作する。例として、トレーニングマシン３がトレッドミルの時、該制御パラメータは時間、速度等を含む。更に例を挙げると、トレーニングマシン３がスピンバイクの時、該制御パラメータは減衰の大きさ、時間等を含む。更に該制御パラメータは複数種のトレーニングマシン３の操作指示を含むことができ、それは、ユーザーが指定のトレーニングマシンを一つ完了すると、続いて二番目のトレーニングマシンを操作実行するように指示する。
【００２１】
更に、情報収集ステップＳ５を有する。該トレーニングマシン３に結合された情報伝送収集装置３１は信号連接しているトレーニングマシン３から該トレーニングマシン３の作業データを取得もしくは受信し、次にバーコードに転換して該情報伝送収集装置３１が接続したディスプレイユニット３１４に表示する。そのうち、該ディスプレイユニット３１４は印刷ユニットに置き換えることもでき、バーコードを直接プリントアウトする方式でユーザー（学習者）に読み取らせる。更に該バーコードは二次元コード、またはＱＲ  ＣＯＤＥ、または画像認証によってデータ伝送を完了できる任意の形式でもよい。
【００２２】
更に、情報フィードバックステップＳ６を有する。該トレーニングマシンのコントローラ１に連接された情報検索装置１３はデータを読取りをした後、次に無線受信装置１４から該クラウドホスティング２へフィードバックする。トレーナーユーザーはクラウドデータベースで学習者の操作情況を確認し、適するアドバイスまたは次の後続カリキュラムのスケジュールを与える。
【００２３】
更にガイドビデオ再生ステップＳ７を有する。それは主に該ディスプレイユニットにガイドビデオを表示する。該ガイドビデオは該クラウドホスティングからダウンロードするか、または該トレーニングマシンに予め保存しておく。且つ該ガイドビデオは順番に準備動作、運動動作と整理動作を有し、動作と動作の間の動画リズム速度は異なる。異なる動作によって、ユーザーは演奏されるリズムによって自身の呼吸または律動を調整でき、プロセスの中で準備、運動と整理動作を行うので、スポーツ障害の発生を減らすことができる。このような聴覚または視覚に依る運動動作変化の伝達方式は、ユーザーに気を散らせることなく、指導を受けながら集中力を高められる。
【００２４】
またユーザーの関連情報を保護し、またダウンロードのミスを避けるため、更にユーザー認証ステップＳ０を設ける。このステップによって、ユーザーの身分が確認でき、情報セキュリティを保護し、データの正確性を確保できる。そのうち、指紋認証または画像認証または音声認証または生理特徴認証または以上の組合せ方式でユーザー身分を判断する。
【００２５】
本実施例は、トレーナーと学習者がレッスンを行う時、データ伝送方式で必要なパラメータの制御や制御パラメータ設定の指導を完成でき、フィットネストレーニングの目的を達成し、ユーザーが操作ミスによって予定した効果が得られなくなるのを防止する。更にトレーニングマシンのコントローラが情報を情報伝送収集装置３１へ伝送する時、情報伝送収集装置３１は情報を解読し、該制御情報が連接設置したトレーニングマシンのものであるか否かを確認し、正しいときにはユーザーに引き続き使用させ、もしも正しくないときには警告画面、または警告音を発することで、操作者に知らせる。
【００２６】
当然、図５に示すとおり、仮に情報伝送収集装置３１とトレーニングマシンが信号連接する時、ユーザーがトレーニングを完了すると、該運動トレーニングマシン３はそのトレーニングプロセスの作業データをデータ伝送のフォーマット（例としてバーコード）に転換し、更にデータを該トレーニングマシンのコントローラ１へフィードバックする。続いて該作業データをクラウドホスティング２へ伝送することで、ユーザーの入力作業の煩雑な手続きを減らし、更に入力ミスに依ってデータの誤解発生を防止する。更にクラウドホスティング２にフィードバックした作業データをフィードバックすることで、トレーナーはユーザーの運動状況を理解して分析できるので、該ユーザーの次のトレーニングスケジュールを計画し、トレーナーが複数名の学習者を手配または指導してトレーニングを行える長所を達成する。更に、クラウドホスティング２上のパラメータ設定データは各学習者（ユーザー）のトレーニングマシンのコントローラ１の中にダウンロードされ、対応する二次元コードまたはＱＲ  ｃｏｄｅまたは読取り認証可能なその他のコード等を生成し、使用効率と精度を高める。故に本実施例の方法はトレーナーと学習者がトレーニングマシンの使用計画と設定操作を容易に行う効果を達成し、公知の問題を克服する。
【００２７】
図１に示すとおり、上述の方法を達成するため、本実施例はトレーニングマシンのコントローラ１を提供し、それはディスプレイモジュール１１、演算処理装置１２、情報検索装置１３および無線受信装置１４を有する。そのうち該ディスプレイモジュール１１、該情報検索装置１３、該無線受信装置１４は、すべて該演算処理装置１２と電気連接し、前述の方法を実行するのに用いる。本トレーニングマシンのコントローラ１はカスタマイズ装置でもよく、またモバイル端末（例として、スマートフォン、タブレット端末もしくはウエアラブルデバイス）でもよく、そこに対応するソフトウエアをインストールするか、またはモバイル端末で対応するウェブページを開いた後生成してもよく、ステップの指定に基づいてバーコードを表示したり、またはバーコードを読み取る操作を完成する。該情報検索装置は二次元コードスキャナーもしくは画像検索装置でもよい。
【００２８】
図４に示すのは、本実施例の情報伝送収集装置３１を設置したトレーニングマシン３の指示図である。該トレーニングマシン３は図式に示す種類に制限されず、電子信号でパラメータ設定するトレーニングマシン３はすべて本実施例の該トレーニングマシン３である。
【００２９】
また、前述の方法に示すとおり、トレーニングマシンに接続した情報伝送収集装置３１はバーコード読取りユニット３１１、エンコードユニット３１３とディスプレイユニット３１４とデータプロセッサ３１５を含む。該バーコード読取りユニット３１１、該エンコードユニット３１３、該ディスプレイユニット３１４はすべて該データプロセッサ３１５と信号連接する。該バーコード読取りユニット３１１は二次元コードスキャナーもしくはレンズ装置でもよい。
【００３０】
該バーコード読取りユニット３１１はバーコードを読み取った後、データプロセッサ３１５でデコード作業を実施するのに用い、パラメータ制御データを取得してディスプレイユニット３１４に表示してユーザーに同時視聴もしくは操作を提供し、視聴の内容は文字だけの説明またはビデオ説明でもよい。または該パラメータ制御データを信号連接したデータ伝送ユニット３１２へ伝送し、該データ伝送ユニット３１２から信号連接したトレーニングマシン３へ伝送し、該トレーニングマシン３は該パラメータ制御データに基づき、対応するパラメータをその中に設定し、該操作案内説明または操作ビデオ内容は該データプロセッサ３１５が信号連接したストレージユニット（図未提示）の中に予め保存する。
【００３１】
また、該トレーニングマシンが使用されると、使用中に生成された記録データは該データ伝送ユニット３１２から該エンコードユニット３１３へ検索または受信され、該エンコードユニット３１３によってフィードバックしたバーコードが生成され、ディスプレイユニット３１４に表示され、対応する設備によって読み取られる。そのうち、該情報伝送収集装置３１は更に連接装置３１６を含み、信号連接コードの接続で運動装置３の信号と連接する。
【００３２】
更にユーザー認証モジュール３１７を接続することができる。それは指紋認証または画像認証または音声認証または生理特徴認証方式でユーザー身分を判断し、確認後の状態を事後に提供し、関連する設定の確認を行い、数値が盗み取られるリスクを下げ、個人情報の安全を守る。
【００３３】
上述の説明からも分かるとおり、本考案は実施形態によって本考案が達成したい目的を確実に提供する。また上述の状態は、本考案の実施例を説明したものに過ぎず、本考案に対して如何なる形式上の制限をするものではなく、本考案の技術特徴範囲内から逸脱しないもので、上述に挙げた技術内容に基づく簡単な変換と同等のものは、すべて本考案の請求範囲に属するものとする。
【符号の説明】
【００３４】
１        トレーニングマシンのコントローラ
１１        ディスプレイモジュール
１２        演算処理装置
１３        情報検索装置
１４        無線受信装置
２        クラウドホスティング
３        トレーニングマシン
３１        情報伝送収集装置
３１１        バーコード読取りユニット
３１２        データ伝送ユニット
３１３        エンコードユニット
３１４        ディスプレイユニット
３１５        データプロセッサ
３１６        連接装置
３１７        ユーザー認証モジュール
Ｓ１        トレーニングマシン制御パラメータの設定ステップ
Ｓ２        トレーニングマシン制御パラメータの取得ステップ
Ｓ３        制御パラメータの表示ステップ
Ｓ４        バーコード読取りステップ
Ｓ５        情報収集ステップ
Ｓ６        情報フィードバックステップ
Ｓ７        ガイドビデオ再生ステップ
Ｓ０        ユーザー認証ステップ
【図１】
0003228922.tif 000003
【図２】
0003228922.tif 000004
【図３】
0003228922.tif 000005
【図４】
0003228922.tif 000006
【図５】
0003228922.tif 000007
【手続補正書】
【提出日】令和2年8月12日(2020.8.12)
【手続補正１】
【補正対象書類名】実用新案登録請求の範囲
【補正対象項目名】全文
【補正方法】変更
【補正の内容】
【実用新案登録請求の範囲】
【請求項１】
ユーザー身分を確認するのに用いるユーザー認証モジュールと、
前記ユーザー身分の確認後、インターネットでクラウドホスティングに接続し、前記クラウドホスティングに保存している少なくとも一つの対応するユーザーのトレーニングマシン制御パラメータをダウンロードするのに用いる無線受信装置と、
前記トレーニングマシン制御パラメータをデータ形式に転換するのに用いる演算処理装置と、
データ形式に転換された前記トレーニングマシン制御パラメータのバーコードを表示するのに用いるディスプレイモジュールと、
前記バーコードを読み取るのに用いる情報検索装置と
を備え、
前記ユーザー認証モジュール、前記無線受信装置、前記ディスプレイモジュール、前記情報検索装置は、前記演算処理装置と電気接続されている
ことを特徴とするトレーニングマシンのコントローラ。